(57)【要約】  複数のチャネルを介し音声／映像（ＡＶ）データなどのデータを通信する方法は、暗号化されたデータを生成するため、データ及び暗号化情報を選択し、当該データを暗号化情報により暗号化することに関する。暗号化情報は、各部分に分割される。暗号化されたデータは、複数のチャネルの少なくとも１つを介し通信され、暗号化情報の少なくとも一部は、暗号化されたデータが通信される以外の少なくとも１つのチャネルを介し通信される。より一般的なケースでは、暗号化されたデータが１つのチャネルを介し送信され、暗号化情報は、分割され、複数の他のチャネルを介し送信される。【特許請求の範囲】
【請求項１】
複数のチャネルを介しデータを通信する方法であって、
通信されるデータを選択するステップと、
暗号化情報を選択するステップと、
暗号化されたデータを生成するため、前記データを前記暗号化情報により暗号化するステップと、
前記暗号化情報を各部分に分割するステップと、
前記複数のチャネルの少なくとも１つのチャネルを介し前記暗号化されたデータを通信するステップと、
前記暗号化されたデータが通信される前記チャネルの少なくとも１つ以外の前記複数のチャネルの少なくとも１つを介し前記暗号化情報の各部分の少なくとも一部を通信するステップと、
を有することを特徴とする方法。
【請求項２】
請求項１記載の方法であって、
前記データを選択するステップは、衛星パスを介した通信のため、映像データを選択するステップを有することを特徴とする方法。
【請求項３】
請求項１記載の方法であって、
前記複数のチャネルの少なくとも１つのチャネルを介し前記暗号化されたデータを通信するステップは、前記複数のチャネルの１つを介し前記暗号化されたデータを通信するステップを有することを特徴とする方法。
【請求項４】
プログラム情報を加入者に提供する方法であって、
前記加入者に通信される複数の情報ストリームを選択するステップと、
許可符号化情報ストリームを生成するため、前記情報ストリームの少なくとも一部のそれぞれを個別許可制御情報により符号化するステップと、
前記個別許可制御情報の各要素を複数の部分に分割するステップと、
各々が複数の独立したチャネルの１つを介し通信される前記符号化された情報ストリームを前記加入者に通信するステップと、
少なくとも一部が前記独立したチャネルのそれぞれを介し通信される前記許可制御情報の複数の部分を前記加入者に通信するステップと、
を有することを特徴とする方法。
【請求項５】
各加入者が複数の異なるプログラム許可の１つを有する際に使用する請求項４記載の方法であって、さらに、
対応する加入者が許可される特定のプログラムの情報ストリームを特定する個別許可管理コマンドを生成するステップと、
前記個別許可管理コマンドのそれぞれを複数の部分に分割するステップと、
前記個別許可管理コマンドのそれぞれの部分の少なくとも一部が、前記独立したチャネルのそれぞれを介し通信されることによって、前記独立したチャネルの少なくとも一部を介し前記許可管理コマンドを前記加入者に通信するステップと、
各加入者位置において、復号化された情報を構成するため、前記独立したチャネルの少なくともいくつかにおいて前記情報を同時に復号化し、前記復号化された情報から、再構成された許可管理コマンドを構成するため、前記加入者に適用可能な前記個別許可管理コマンドの少なくとも１つを再構成するステップと、
を有することを特徴とする方法。
【請求項６】
請求項５記載の方法であって、さらに、
各加入者において、前記情報ストリーム、許可符号化情報ストリーム及び前記再構成された許可管理コマンドに対応する許可制御情報を利用可能にするステップを有することを特徴とする方法。
【請求項７】
各加入者が複数の異なるプログラム許可の１つを有する場合、プログラム情報を加入者に提供する方法であって、
前記加入者に通信される複数の情報ストリームを選択するステップと、
許可符号化情報ストリームを生成するため、前記情報ストリームの少なくとも一部のそれぞれを個別許可制御情報により符号化するステップと、
前記個別許可制御情報の各要素を複数の部分に分割するステップと、
各々が複数の独立したチャネルの１つを介し通信される前記情報ストリームを前記加入者に通信するステップと、
少なくとも一部が前記独立したチャネルのそれぞれを介し通信される前記許可制御情報の複数の部分を前記加入者に通信するステップと、
対応する加入者が許可される特定のプログラムの情報ストリームを特定する個別許可管理コマンドを生成するステップと、
前記個別許可管理コマンドのそれぞれを複数の部分に分割するステップと、
各々の前記部分の少なくとも一部が前記独立したチャネルのそれぞれを介し通信されることによって、前記独立したチャネルの少なくとも一部を介し前記許可管理コマンドを前記加入者に通信するステップと、
各加入者位置において、復号化された情報を構成するため、前記独立したチャネルの少なくともいくつかの情報を同時に復号化し、前記復号化された情報から、再構成された許可管理コマンドを構成するため、前記加入者に適用可能な前記個別許可管理コマンドの少なくとも一部を再構成するステップと、
前記各加入者位置において、前記情報ストリーム、許可符号化情報ストリーム及び前記再構成された許可管理コマンドに対応する許可制御情報を表示するために利用可能にするステップと、
を有することを特徴とする方法。
【発明の詳細な説明】
【発明の詳細な説明】
【０００１】
［発明の技術分野］
本発明は、個別のチャネルを介した複数の情報ストリームの送信に関し、より詳細には、符号化情報の拡散及び個別チャネルを介したそれの各部分の送信に関する。
［発明の背景］
情報提供サービスの複数のユーザ又は加入者のそれぞれへの情報の電子送信は、テレビ及び音声情報の衛星及びケーブルシステム送信によって例示されるように、現在一般的なものとなっている。図１は、大規模エリアにいる複数の加入者又はユーザに情報を送信するための衛星システム１０の簡単化されたブロック図である。図１において、少なくともアップリンクアンテナ１４を有する地上ステーション１２は、衛星１０の受信又はアップリンクアンテナ２２に情報ストリームを提供する。衛星２０は静止軌道上にあるかもしれず、複数のユーザ１，２，．．．，Ｎから観察されるように、上空のある明らかな固定された位置に留まる。ユーザ１，２，．．．，Ｎは、衛星送信又はダウンリンクアンテナ２４の２５として示されるビームのカバーエリア２６にいる。地上ステーション１２又は他の地上ステーションであるかもしれない地上ステーションはまた、適切な起動及び動作状態に衛星２０を維持するための制御機能を提供する。
【０００２】
図１の地上ステーション１２とそれのアンテナ１４によって、衛星２０のアップリンクアンテナ２２に送信されるアップリンク情報ストリームは、衛星２０内でいくらか処理されてもよいが、衛星及びそれのアンテナは、ダウンリンクビーム２５を介しダウンリンクパスに沿ってアップリンクされた情報ストリームを再送する単なる「曲がったパイプ」としてしばしばみなされうる。アップリンク及びダウンリンクの動作周波数は、地上ステーションのものに対するユーザの受信アンテナのゲインに関する理由のため、そしておそらく異なるアップリンク及びダウンリンク周波数の電子コンポーネントの相対的な効率性のため、しばしば異なっている。
【０００３】
理想的には、衛星２０は、すべてのアップリンクされた信号を受信し、それらを増幅し、増幅された信号をダウンリンクビーム２５を介しユーザに再送する「トランスポンダ」を有するであろう。しかしながら、利用可能なトランスポンダから利用可能なひずみのない電力に対する制限のため、各々が利用可能なアップリンク／ダウンリンク周波数帯の範囲内のやや異なる周波数により動作する多数のトランスポンダが使用される。１つの現在のアプリケーションでは、衛星は、各々が複数の独立したプログラムを有する３２個のトランスポンダ又は物理チャネルを有する。プログラムは、音声、映像及びセキュリティデータなどの複数の主要なデータストリームを有するかもしれない。
【０００４】
上述の現在のアプリケーションでは、信号ストリームはデジタル形式であり、主要なプログラムストリームは、トランスポンダによって規定されるチャネル内で時分割多重化（ＴＤＭ）されている。当業者は、このような時分割多重化が各種の独立した信号チャネルの情報パケットをこれらのパケットの重複なく信号パスに割り当てるための高度な制御を要求することを知っている。アンテナビーム２５を介し図１のユーザターミナル１，２，．．．，Ｎに到着するダウンリンク信号が、符号化される。さらに、衛星通信システムを介し送信される情報コンテンツは、衛星を介した送信のモードに関連しないさらなる方法により「スクランブル化」又は符号化されてもよく、これにより、アクセスに対する料金を支払うことによるコンテンツに対する権利の付与がされていない人々によるコンテンツの使用を防ぐことができる。このように、ダウンリンクされた情報を受信するため、適切にプログラムされたスマートカード又はセキュリティモジュールが必要とされる。例えば、衛星システムへのすべての加入者は、あるチャネルにアクセス可能であるかもしれず、このため、少なくともスロット符号化情報を要する。符号化情報へのアクセスは、ユーザがプレミアムチャネルを介し送信される情報を正確に受信することを可能にするが、この送信された情報は、料金を支払っていない加入者がキーを有しないさらなるレイヤの符号化がなされているかもしれない。従って、複数レイヤシステムが提供される。
【０００５】
衛星情報映像（及び関連する音声）送信システムのオペレータは、ＥＣＭ（Ｅｎｔｉｔｌｅｍｅｎｔ  Ｃｏｎｔｒｏｌ  Ｍｅｓｓａｇｅ）及びＥＭＭ（Ｅｎｔｉｔｌｅｍｅｎｔ  Ｍａｎａｇｅｍｅｎｔ  Ｍｅｓｓａｇｅ）を利用することによって送信された情報ストリームの使用を制御する。ＥＣＭは、対称となる映像を解読するためのキーへの制限されたアクセスを可能にし、プログラムコンテンツと同一の物理チャネル内の映像プログラムの一体化された部分としてユーザに送信される。通常の配信映像の場合、物理チャネルは６ＭＨｚ「ワイド」である。ケーブルテレビシステムの場合、ＥＣＭは、独立した又は補助的なチューナを必要とする独立した専用の帯域外チャネルを介し送信されるかもしれない。これは、ユーザがセキュリティ情報を送信するための機構が存在しない従来のアナログテレビ信号を同時に視聴しながら、セキュリティ情報を受信することができるように実行されてもよい。
【０００６】
典型的には、ＥＣＭは、プログラムにアクセスするのに要求される契約階層の記述に加えて、プログラムをスクランブル解除するのに必要なキーを含む。ＥＣＭは、おそらく１０ミリ秒ごとなどにＭＰＥＧトランスポートパケットとして送信され、おそらく３０秒ごとなど周期的に変更される。ＥＣＭは、パケットのプログラムＩＤナンバーによって識別される。この情報は、典型的にはシステムプログラムガイド又はプログラムマップ情報を介し利用可能である。ユーザが所望のチャネルに合わせると、受信機は、音声／映像ストリームへのアクセスを取得するため、ＥＣＭに関するＰＩＤを検出するため、ガイド情報をクエリする。その後、受信機は、所望のプログラミングに関するＥＣＭパケットを検出し、処理を行うためこれらのパケットをスマートカード又はセキュリティモジュールにわたす。セキュリティモジュールは、これらのパケットをオープンし、プログラムのアクセス権を受信機の契約レベルと比較する。受信機の契約レベルがプログラムの視聴を許可するのに十分なものである場合、セキュリティモジュールは、解読キーを復号し、プログラムコンテンツのスクランブル解除のためそれを利用可能にする。受信機の現在の契約レベルを超えるプログラムについては、当該キーは利用可能とされず、受信機はコンテンツをスクランブル解除することができないであろう。
【０００７】
ＥＭＭは、プログラムコンテンツ又はデータを受信し、又は受信しないようにするため、受信側のユーザの権利を管理することを可能にする暗号化パケットである。ＥＭＭは、通常はＥＣＭより低い優先度又は低い緊急度によりユーザに送信される。ＥＭＭは、同じ物理チャネル又は他の物理チャネルにより、受信機がそれらを検出すべき場所及び時期を事前に知っている限り、送信可能である。限定的なチューナを有する受信機では、ＥＭＭは、典型的には、受信機が現在合わされているチャネルに関係なく、受信機が常にＥＭＭ情報を受信することが可能であることを補償するため、すべての物理チャネルを介し同時に送信される。ＥＭＭは、ＭＰＥＧトランスポートストリームの一部として送信され、ＥＣＭと同様の方法により特定のＰＩＤにより識別される。１以上の受信機に関連付けすることが可能な電子アドレスは、典型的には、ＥＭＭパケット内で検出される。典型的には、受信機は、ネットワークにより送信されるすべてのＥＣＭパケットを確認し、受信機の電子アドレスとＥＭＭにより送信される電子アドレスとを比較する。これらのアドレスが一致すれば、ＥＭＭメッセージは受信機に対するものであり、受信機は、ＥＭＭによって送信される情報に従って動作する。
【０００８】
図２ａは、衛星を介し加入者に音声／映像マテリアルを送信するため、システムの地上ステーション又はヘッドエンドにおいて実行される処理の簡単化されたブロック図である。図２ａにおいて、複数の信号プロセッサ２５１、２５２，．．．，２５０Ｎを有するセット２５０は、それぞれ複数の入力信号ストリームの１つを受信する。一実施例では、８つのＡＶ（Ａｕｄｉｏ−Ｖｉｄｅｏ）情報チャネルが、セット２５０の各プロセッサに適用される。各プロセッサは、それ自体の入力ＡＶ情報セットを処理し、図１のアンテナ１４への２６０として示される合成（ｃｏｍｂ）構成を介した適用のため、それ自体の出力ターミナルにおいてＭＰＥＧ符号化され、時分割多重化され、チャネル化されたラジオ周波数情報を生成する。
【０００９】
図２ｂは、図２ａの１つの物理チャネルについて実行される処理２５２の簡単化されたブロック図である。図２ｂの構成におけるチャネルは、各衛星トランスポンダチャネルを探索する信号数を限定する必要のため、衛星トランスポンダチャネルに対応することが理解されるべきである。明確にするため、図２ｂは図２ａの物理チャネル２５２を表す。図２ｂにおいて、一実施例では、８つのＡＶストリームを有する複数の音声／映像ソース又は信号ストリームが、システムに適用される。図２ｂのこれら８つの音声／映像ストリームは、「トランスポンダチャネルＩＩ」として示され、これは、ローマ数字によってこれらの信号が「第２の」衛星トランスポンダチャネルに関連していることを表す。８つのＡＶストリームは、複数の信号パス２１０ａ，２１０ｂ，．．．，２１０Ｎを介し対応する複数のＭＰＥＧエンコーダ２１２ａ，２１２ｂ，．．．，２１２Ｎに適用される。ＭＰＥＧ符号化は、各映像ストリームの帯域幅を限定又は制御するのに効果的である。他の圧縮技術がまた、利用可能である。いくつかのコンテンツチャネルは映像以外の情報を含み、他の符号化を要するかもしれないということが理解されるべきである。ＭＰＥＧ符号化信号は、エンコーダ２１２ａ，２１２ｂ，．．．，２１２Ｎからそれぞれパス２１４ａ，２１４ｂ，．．．，２１４Ｎを介しトランスポートマルチプレクサ（ＭＰＸ）２１６に送信される。ＭＰＥＧ符号化されたコンテンツに加えて、ＭＰＥＧ符号化トランスポートマルチプレクサはまた、ユーザガイド情報をブロック２１８からパス２１７を介し受信し、ダミーＥＭＭ／ＥＣＭ情報をブロック２２０からパス２１９を介し受信する。ダミーＥＭＭ／ＥＣＭ情報は、送信される実際のＥＭＭ／ＥＣＭ情報のための多重化されたデータストリームの単なる「プレースホルダ（ｐｌａｃｅ  ｈｏｌｄｅｒ）」である。トランスポートマルチプレクサ２１６は、入力情報を１つのパス２２４上に合成する。従来技術の１つのバージョンでは、多重化は、送信される情報が「パケット」に分割され、その後、時間についてインタリーブされる時分割多重化（ＴＤＭ）により実行される。マルチプレクサ２１６からの多重化された情報は、ブロック２３０として示される暗号化装置にパス２２４を介し適用される。暗号化ブロック２３０は、キー生成装置２３によってパス２３３を介し提供されるキーを用いて多重化されたデータストリームを暗号化する。
【００１０】
図２ｂの暗号化装置はまた、キー及びアクセス情報をダミーＥＭＭ／ＥＣＭビットによる入力データストリームに占有されるスペースに構成する。このステップは、図２ｃに示され、そこでは、現在暗号化装置を探索するダミーＥＣＭ情報ストリームが、２９０として示される。図２ｃにおいて、ＥＣＭ情報は、ブランク又はダミーＥＣＭに挿入される。ＥＣＭ情報は、１つのプログラムに関するキーと、受信機が当該キーにアクセス可能となるのに必要とされる購入権利に関する情報を含む。このＰＣＭパケットは、さらにアクセスを制限するため、ハイレベルシステムキーにより暗号化されてもよい。図２ｃにおいて、コンテンツＫ１の全体は、プログラム１に関するキー及びすべての情報を表すより小さなサブユニットＫ１ａ，Ｋ１ｂ，Ｋ１ｃ，．．．，Ｋ１Ｘに分解されるものとして示される。図２ｂの暗号化ブロック２３０によって、それのＥＭＭ／ＥＣＭ情報により生成される暗号化されたＴＤＭ多重化された情報の結果として得られるストリームは、変調装置及びパワーアンプブロック２４０として示される従来の送信機にパス２３９を介し送信される。送信機ブロック２４０は、信号を１以上のキャリアに変調し、信号のパワーを引き上げる。結果として得られる変調されたハイパワー信号は、変調されたハイパワー信号の他のストリームと合成し、衛星２０への送信のために図１のアンテナ４への合成された信号の適用のため、図２ｂの送信機ブロック２４０から図２ａの合成装置に送信される。信号が図２ａのセット２５０の各プロセッサによって変調されるキャリア周波数は、しばしば衛星の利用可能なトランスポンダチャネルに変調されたキャリアの分離に供するため、衛星の能力と共に選択される。
【００１１】
図１の衛星２０において、アップリンクされたチャネルのグループが周波数変換され、地上への再送のため増幅される、図３は、衛星における処理の簡単化されたブロック図である。図３において、受信又はアップリンクアンテナ２２は、アップリンクされた符号化されたＴＤＭ信号を受信し、当該信号を周波数分離フィルタ３１０に結合させ、当該フィルタ３１０は、各信号をそれらの周波数に応じて、複数の信号パス３１２ａ，３１２ｂ，．．．，３１２Ｎを介し複数のトランスポンダ３０１，３０２，．．．，３００Ｎに送信する。図３に示される各トランスポンダは、パス及び他のロスを補償するため、受信した信号を増幅する低ノイズアンプ（ＬＮＡ）を有する。ＬＮＡは周波数分離フィルタ３１０に後続するのではなく前置することが可能であるということが理解されるべきである。各トランスポンダ３０１，３０２，．．．，３００Ｎはまた、ダウンリンクを介した地上のユーザへの送信のため、各チャネルグループのアップリンク周波数を異なる周波数に変換する周波数コンバータを有する。図３の各トランスポンダはまた、ユーザへのダウンリンク信号パスにおけるロスを解消するのに供するため、トランスポンダチャネルにおいて周波数変換された信号を増幅するパワーアンプを有する。各チャネル３０１，３０２，．．．，３００Ｎの出力において生成される周波数変換された増幅信号が、図１のダウンリンクアンテナ２４に適用するため合成されたダウンリンク信号を構成する周波数センシティブ合成装置とすることが可能な合成構成に適用される。
【００１２】
図４は、図１のユーザセット２６のユーザ２においてなど、ユーザにおいて検出されるかもしれない構成４２６を示す。図４において、ユーザ２は、各々がＥＭＭ／ＥＣＭ情報と共に８つの音声／映像チャネルからの時分割情報を搬送する３２個のトランスポンダチャネルをおそらく含む、ダウンリンク信号を受信する図１の衛星２０に指向されるアンテナ４１４を有する。図４のブロック４１０として示される受信機は、ダウンリンクされた３２個のチャネルの１つを受信用に選択肢、対応するデータストリームを４１２として示される信号パス上で生成する。トランスポートデマルチプレクサ（ｄｅＭｕｘ）ブロック４１６は、時分割多重化データストリームと暗号化コードを受信する。ＥＣＭ情報が、コードとローカルユーザの認証と引くし、認証された場合には、選択された音声／映像チャネルに従ってテレビ受信機４１８上での視聴のため、プログラムをスクランブル解除、解凍及び処理するため、トランスポートデマルチプレクサ４１６にキーを提供する４１７として示されるスマートカード又はセキュリティモジュールに提供される。
【００１３】
図７ａは、図１、２ａ、２ｂ、２ｃ、３及び４を参照して示される従来技術による構成におけるキー配布の一般的な趣旨を示す。図７ａに示されるように、各物理チャネルの各種プロセッサ２５１，２５２，．．．，２５０Ｎの暗号化ブロック２１６ａ，２１６ｂ，．．．，２１６Ｎのそれぞれは、キー生成装置２３２によって生成されるキーをパス２３３を介し受信する。各暗号化ブロックは、プロセッサに関する物理チャネルを介し搬送されるプログラムのキーを受信し、物理チャネルのためのＥＣＭ形式によるキーをそれ自体の物理チャネルを探索する信号に符号化する。
【００１４】
図１、２ａ、２ｂ、３及び４に関して上述されたものなど、システムのコンテンツへの不法なアクセスは、受信機に配信されるＥＣＭ又はＥＭＭストリームを提供することによって取得することが可能である。ＥＣＭの場合には、ハッカーは、特定のプログラム又はプログラムセグメントの視聴をおそらく可能にし、ＥＭＭの場合には、ハッカーは、不定期間ネットワーク上のすべての暗号化されたマテリアルへのアクセスを潜在的に生成するであろう。ハッカーは、ＥＣＭ又はＥＭＭ情報が送信される１つの物理チャネルにアクセスし、解析及び情報抽出のために情報を格納しさえすればよい。これは、１つのパス４１２上で音声／映像データストリーム及びＥＭＭ／ＥＣＭデータを受信するため接続される、ブロック４２０として示されるコンピュータを使用することによって、図４の構成により実現することが可能である。この解析は、情報が格納されると、オフ・オンにより実行することが可能である。ハッカーがＥＣＭを破るのに成功すると、同一のＥＣＭを使用するすべてのプログラムにアクセス可能となり、ＥＭＭが決定可能となると、すべてのマテリアルにアクセス可能となる。
【００１５】
改良された、又は他の情報送信システムが所望される。
［発明の概要］
本発明の一特徴による方法は、複数チャネルを介しデータを通信するためのものである。本方法は、暗号化されたデータを生成するため、通信されるデータと暗号化情報を選択するステップと、当該データを暗号化情報により暗号化するステップとを有する。選択されたデータは、映像情報であってもよい。暗号化情報は、各部分に分割される。暗号化されたデータは、複数のチャネルの少なくとも１つのチャネルを介し通信される。本方法の１つのモードでは、暗号化されたデータが、１つのチャネルを介し通信される。暗号化キー情報の部分の少なくとも一部は、暗号化されたデータが通信されるチャネル以外の複数のチャネルの少なくとも１つを介し通信される。
【００１６】
本発明の他の特徴によると、プログラム情報を加入者に提供する方法は、許可符号化情報ストリームを生成するため、加入者に通信される複数の情報ストリームを選択するステップと、情報ストリームの少なくとも一部のそれぞれを個別許可制御情報により符号化するステップとを有する。個別許可制御情報の各要素は、複数の部分に分割される。符号化された情報ストリームは、符号化された情報ストリームのそれぞれが、複数の独立したチャネルの１以上を介し通信されることによって、加入者に通信される。許可制御情報の複数の部分が、各許可制御情報の各部分の少なくとも一部が独立したチャネルのそれぞれを介し通信されることによって、加入者に通信される。異なる加入者が異なるプログラム許可を有するとき、本方法は、対応する加入者が許可される特定のプログラムの情報ストリームを特定する個別許可管理コマンドを生成するさらなるステップを有する。個別許可管理コマンドのそれぞれは、複数の部分に分割される。許可管理コマンドは、個別許可管理コマンドのそれぞれの部分の少なくとも一部が、独立したチャネルのそれぞれを介し通信されることによって、独立したチャネルの少なくとも一部を介し加入者に通信される。各加入者位置では、復号化された情報を生成するため、情報は独立したチャネルの少なくともいくつかにおいて同時に復号化される。復号化された情報から、加入者に適用可能な個別許可管理コマンドの少なくとも当該部分が再構成され、これにより、再構成された許可管理コマンドが構成される。本発明の方法の上記特徴のさらなるモードによると、情報ストリーム、許可符号化情報ストリーム及び再構成された許可管理コマンドに対応する許可制御情報のみが利用可能にされる。
【００１７】
本発明の他の特徴による方法は、各加入者が複数の異なるプログラム許可の１つを有する場合、プログラム情報を加入者に提供するためのものである。本方法は、許可符号化情報ストリームを生成するため、加入者に通信される複数の情報ストリームを選択するステップと、個別許可制御情報により情報ストリームの少なくとも一部のそれぞれを符号化するステップとを有する。本発明による上記特徴によると、本方法は、個別許可制御情報の各要素を複数の部分に分割する。情報ストリームは、情報ストリームのそれぞれが複数の独立したチャネルの１つを介し通信されることによって、加入者に通信される。許可制御情報の複数の部分が、各個別許可制御情報の部分の少なくとも一部が、独立したチャネルのそれぞれを介し通信されることによって、加入者に通信される。対応する加入者が許可される特定のプログラムの情報ストリームを特定する個別許可管理コマンドが生成される。各個別許可管理コマンドは、複数の部分に分割される。各個別許可管理コマンドは、複数の部分に分割される。許可管理コマンドは、個別許可管理コマンドのそれぞれの部分の少なくとも一部が、独立したチャネルのそれぞれを介し通信されることによって、独立したチャネルの少なくとも一部を介し加入者に通信される。各加入者位置において、独立したチャネルの少なくともいくつかにおける情報が、復号化された情報を構成するように同時に復号化され、復号化された情報から、加入者に適用可能な個別許可管理コマンドの少なくとも当該部分が、再構成される許可管理コマンドを構成するため再構成される。各加入者位置において、情報ストリーム、許可符号化情報ストリーム及び再構成された許可管理コマンドに対応する許可制御情報が、表示用に利用可能にされる。
［発明の説明］
本発明の一特徴によると、ＥＣＭ（Ｅｎｔｉｔｌｅｍｅｎｔ  Ｃｏｎｔｒｏｌ  Ｍｅｓｓａｇｅ）及びＥＭＭ（Ｅｎｔｉｔｌｅｍｅｎｔ  Ｍａｎａｇｅｍｅｎｔ  Ｍｅｓｓａｇｅ）又はそれらの少なくとも１つ又はそれらの均等物が、異なる部分又はパーツに分割され、各部分又はパーツがシステムの独立したチャネルによってユーザ又は加入者位置に送信される。衛星ベース映像配信システム（「映像」という用語は、それの関連する音声を含む）に関して、ＥＣＭ及び／又はＥＭＭキーは、複数の部分に分割され、各部分は衛星から当該衛星の独立したトランスポンダの１つを介しユーザに送信される。上述の例では、コンテンツを送信する３２個のトランスポンダが存在し、従って、ＥＣＭ及び／又はＥＭＭキーは、１つのパーツが各トランスポンダを介し配信される３２個のパーツに分割可能である。ケーブルテレビシステムの場合、各々がＥＣＭ及びＥＭＭキーの１つのパーツを含む複数の周波数帯に分割される物理チャネルが１つのみ存在する。認証されたユーザ又は加入者位置において、ダウンリンクされたチャネルはすべて、例えば、各トランスポンダチャネルについて１つの従来の受信機を設けることによって復元され、キー部分情報が、ユーザに同時に利用可能とされる。複数部分へのキーの分割はリバースされ、キーはユーザによる使用のため利用可能となる。
【００１８】
本発明の特に効果的な実施例では、従来の受信機グループとする代わりに、受信機は、ＭｃＮｅｅｌｙにより２００３年３月１９日に出願されたＰＣＴ特許出願０３／０８３６５に記載されるようなマルチチャネル信号受信機である。ＭｃＮｅｅｌｙの出願は、周波数チャネルに含まれる配信チャネルプログラムが同時にアクセス可能となるように、複数の周波数チャネルが同時にチューニングされることを可能にする受信機を開示している。フィルタバンクを含む信号処理回路は、信号ソースに接続され、複数の配信チャネルプログラムに対応するベースバンド信号を同時に提供するよう動作する。
【００１９】
上述のＰＣＴ出願の受信機によって提供される同時受信は、エイリアスキャンセレーション（ａｌｉａｓ  ｃａｎｃｅｌｌａｔｉｏｎ）によって、少なくとも部分的に実現される。このエイリアスキャンセルした受信は、比較的低いクロックレートによりＲＦ（Ｒａｄｉｏ−Ｆｒｅｑｕｅｎｃｙ）信号にデジタル信号処理を適用する方法を提供する。当業者は、限定的な方法により以前に理解された「ラジオ周波数」という用語が、現在は可視光線及び電離放射線の範囲以外のすべての信号周波数を実質的に含むということを意味するということを知っている。
【００２０】
図５は、本発明の一特徴による図１のシステムの地上ステーション又はヘッドエンドにある複数の処理ユニットを含むシステムの簡単化されたブロック図である。図５において、３２個のトランスポンダチャネルが衛星（図５では図示せず）上で利用可能であり、各々はＥＭＭ／ＥＣＭ及び他の補助情報と共に、８つのＡＶ（Ａｕｄｉｏ／Ｖｉｓｕａｌ）チャネルを処理することが可能であることが仮定されている。もちろん、異なる個数のトランスポンダチャネルが利用可能であり、各トランスポンダチャネルは、異なる個数のＡ／Ｖチャネルを処理することが可能であり、図５の対応する個数の要素がこれに応じて調整される。図５の構成では、８つのＡＶチャネルＡＶ１，ＡＶ２，．．．，ＡＶ８のセットが（１つの衛星トランスポンダの信号に相当する量）、図２ｂの構成と同様にＭＰＥＧ符号化を実行する８つのＭＰＥＧエンコーダ２１２１，２１２２，．．．，２１２８の対応するセット５１２１の入力に適用される。ＭＰＥＧ符号化されたＡＶ情報は、エンコーダ２１２１，２１２２，．．．，２１２８からトランスポートマルチプレクサのセット５１６の第１トランスポートマルチプレクサ（ＭＰＸ）２１６１に接続され、それはまた、当該データを１つのパス２２４１に時分割多重化するため、図２ｂの構成と同様にガイド及びダミーＥＭＭ／ＥＣＭ情報を受信する。時分割多重化されたデータは、パス５３４１を介し適用されるキーを用いた暗号化のため、暗号化装置セット５３０の第１暗号化装置５３０１に接続される。同様に、８つのＡ／ＶチャネルＡＶ９，ＡＶ１０，．．．，ＡＶ１６のセットが、エンコーダ２１２１，２１２２，．．．，２１２８と同様にＭＰＥＧ符号化を実行する８つのＭＰＥＧエンコーダ２１２９，２１２１０，．．．，２１２１６の対応するセット５１２ｂの入力に適用される。ＭＰＥＧ符号化された情報は、エンコーダ２１２９，２１２１０，．．．，２１２１６からセット５１６の第２トランスポートマルチプレクサ（ＭＰＸ）２１６２に接続され、それはまた、１つのパス２２４２にデータを時分割多重化するため、ガイド及びダミーＥＭＭ／ＥＣＭ情報を受信する。時分割多重化されたデータは、パス５３４２を介し適用されるキーにより暗号化するため、セット５３０の第２暗号化装置５３０２に接続される。他の８つのＡＶ信号のグループが、同様に処理される。完全を期するため、最後のグループ、すなわち、ＡＶ信号ＡＶ２４８，ＡＶ２４９，．．．，ＡＶ２５６のグループが説明される。特に、８つのＡＶチャネルＡＶ２４８，ＡＶ２４９，．．．，ＡＶ２５６のセットが、エンコーダ２１２１，２１２２，．．．，２１２８と同様にＭＰＥＧ符号化を実行する８つのＭＰＥＧエンコーダ２１２２４８，２１２２４９，．．．，２１２２５６の対応するセット５１２Ｎの入力に適用される。ＭＰＥＧ符号化されたＡＶ情報は、エンコーダ２１２２４８，２１２２４９，．．．，２１２２５６からセット５１６の３２番目のトランスポートマルチプレクサ（ＭＰＸ）２１６３２に接続され、それはまた、１つのパス２２４３２にデータを時分割多重化するため、ガイド及びダミーＥＭＭ／ＥＣＭ情報を受信する。時分割多重化されたデータは、パス５３４３２を介し適用されるキーによる暗号化のため、セット５３０の３２番目の暗号化装置５３０３２に接続される。当該キーは、５３２として示されるキー生成装置ブロックによって生成される。
【００２１】
図５のセット５３０の暗号化装置５３０１，５３０２，．．．，５３０３２は、図２ｂの対応する暗号化装置とはやや異なる。より詳細には、暗号化装置セット５３０の各暗号化装置は、図２ｃに関して説明されるように、キー情報をデータストリームにロードしない。代表として暗号化装置５３０１をとると、キー情報は、図６に示される方法により配布される。
【００２２】
図６において、図５の暗号化装置５３０１によってダミーＥＭＭ／ＥＣＭスロットに挿入されるキーは、スロットの少なくとも一部が他のトランスポンダチャネルからのキー又はキー部分を含むように構成される。より詳細には、図６に表されるキー情報の配布は、キーＫ１ａ，Ｋ２ａ，Ｋ３ａ，Ｋ４ａ，Ｋ５ａ，．．．，ＫＮａを含む。キーＫ１ａは、図５のＡＶ１に対応するプログラム１について部分復号化情報を提供し、当該プログラムは、Ｋ１ａと同一のトランスポンダチャネル上で実行される。しかしながら、キーＫ２ａ，Ｋ３ａ，Ｋ４ａ，Ｋ５ａ，．．．，ＫＮａは、第１トランスポンダチャネル以外のトランスポンダチャネル上で実行されるプログラムのため、部分解読情報を搬送する。すなわち、キーＫ２ａ，Ｋ３ａ，Ｋ４ａ，Ｋ５ａ，．．．，ＫＮａは、それぞれトランスポンダチャネル２，３，４，５，．．．，Ｎ上のプログラムａに関するものである。プログラム１のキーの残りの部分、すなわち、Ｋ１ｂ，Ｋ１ｃ，Ｋ１ｄ，Ｋ１ｅ，．．．，Ｋ１ｎは、他のトランスポンダチャネル上で実行される。同様に、プログラム２〜Ｎのキーの残りの部分は、各種トランスポンダチャネルに配布される。従って、図５のＡＶ９，ＡＶ１０，．．．，ＡＶ１６に対応する第２トランスポンダチャネル上の対応するキーセットは、例えば、各トランスポンダチャネル上の第２（ｂ）プログラムを解読するキーであるＫ１ｂ，Ｋ２ｂ，Ｋ３ｂ，Ｋ４ｂ，Ｋ５ｂ，．．．ＫＮｂを含めることが可能である。図５の暗号化装置セット５３０の他の暗号化装置は、他のキーセットを搬送する。図５の最後の暗号化装置、すなわち、暗号化装置５３０３２は、暗号化キーＫ１ｍ，Ｋ２ｍ，Ｋ３ｍ，Ｋ４ｍ，Ｋ５ｍ，．．．，ＫＮｍをデータストリームのそれのダミーＥＭＭ／ＥＣＭ位置に挿入する。従って、すべてのキーが送信されるが、それらの多くは、対応するプログラムを搬送する以外のトランスポンダチャネルを介し送信される。本来、キーＫ１のより小さなサブユニットＫ１ａ，Ｋ１ｂ，Ｋ１ｃ，．．．，Ｋ１Ｘは、Ｋ１に含まれる情報を共に構成する。各サブユニットは、Ｋ１の情報の１バイト又はバイトグループを表すかもしれず、これらのサブユニットは、複数のチャネルを介した実質的に同時な送信のため配布される。
【００２３】
従来の衛星送信システムに関して、衛星トランスポンダへの各種プログラムのキーの配布は、シングル・トランスポンダ・チャネル受信機４１０は関連するすべてのプログラムマテリアルについてキーを受信することができないため、受け入れられないかもしれない。本発明の一特徴によると、マルチ・トランスポンダ・チャネル受信機は、プログラムとそれに関する暗号化キーの両方にアクセスするのに要求される少なくとも個数のチャネルを受信するため、加入者位置において使用される。最もシンプルなケースでは、図６に関して説明されたように、第１のものが与えられたトランスポンダ上のプログラムであり、第２のものが一般には異なるトランスポンダ上のものとなる対応するキーのである、２トランスポンダ・チャネル受信機が要求されるであろう。従って、トランスポンダチャネル３からプログラムａを受信することが所望されるとき、当該プログラムはトランスポンダチャネル１を介しアクセスされるが、対応するキーＫ３ａは、トランスポンダチャネル１から抽出される（図６に示される）。従って、一般にはプログラムとそれの関連するキーの両方にアクセスするため、マルチチャネル受信機が求められる。
【００２４】
図７ｂは、本発明の一特徴によるキー配布の一般的な趣旨を示す。図７ｂにおいて、プロセッサ２５１，２５２，．．．，２５０Ｎは、図７ａと同様に、それぞれ各自の暗号化ブロック２１６ａ，２１６ｂ，．．．，２１６Ｎを有する。図７ｂにおいてブロック２３２’として示されるデコンポーザとキー生成装置は、キーを生成するが、それらを図７ａの生成装置２３２とは異なるように配布する。より詳細には、生成装置２３２’は、ＥＣＭａの形式によりキー１を、ＥＣＭｂの形式によりキー２を、．．．、ＥＣＭＮの形式によりキーＮを生成する。これに関して、ＥＣＭａ＝ｋｅｙ１ａ；ｋｅｙ２ａ；．．．；ｋｅｙＮａであり、ＥＣＭｂ＝ｋｅｙ１ｂ；ｋｅｙ２ｂ；．．．；ｋｅｙＮｂであり、．．．、ＥＣＭＮ＝ｋｅｙ１ａ；ｋｅｙ２ａ；．．．；ｋｅｙＮａである。
【００２５】
キー情報のより複雑な割当てが可能である。例えば、キーを２以上の部分に構成し、これら２つの部分のそれぞれを異なるトランスポンダチャネルを介し送信することが可能である。マルチチャネル受信機は、依然としてさらなる処理パワーが利用可能である限り、すべてのプログラムについてすべてのキーにアクセスすることが可能である。一般に、各キーは、多数の部分に分割可能であり、加入者エンドのマルチチャネル受信機は、各部分の位置が知られている限り、適切なキーを再構成することが可能である。
【００２６】
図８ａは、各独立した「トランスポンダ」チャネルがケーブルの異なる周波数範囲上に（又は「内部に」）あるケーブルテレビシステムなどの従来のシステムの情報ストリームの簡単化された図である。図８ａにおいて、３つのトランスポンダチャネルが示され、すなわち、トランスポンダチャネル１，２，．．．，ｎである。文字「Ｖ」は映像パケットを表し、文字「Ａ」は音声パケットを表し、文字「Ｅ」はＥＭＭ情報を表し、加入者はパケットが関連する特定のプログラムを意味する。トランスポンダチャネル１では、パケットのシーケンシャルフローは、Ｖ１，Ｖ１，Ａ１，Ｅ１，Ｖ１，Ｖ１，Ａ１，Ｅ１，Ｖ１，Ｖ１，Ａ１，Ｅ１，．．．であり、すべてがプログラム情報１に関するものである。本来的に、トランスポンダチャネル１は、それのＥＭＭ情報と共にすべてのプログラム１の情報を搬送する。同様に、トランスポンダ２は、シーケンシャルパケットＶ２，Ｖ２，Ａ２，Ｅ２，Ｖ２，Ｖ２，Ａ２，Ｅ２，Ｖ２，Ｖ２，Ａ２，Ｅ２，．．．を搬送し、トランスポンダｎは、シーケンシャルパケットＶｎ，Ｖｎ，Ａｎ，Ｅｎ，Ｖｎ，Ｖｎ，Ａｎ，Ｅｎ，Ｖｎ，Ｖｎ，Ａｎ，Ｅｎ，．．．を搬送する。従って、各トランスポンダチャネルは、それ自体のプログラムマテリアルと関連するコードを搬送する。新たな接続を行う加入者が解読されたプログラムの出現のため長時間待機する必要がないようにするため、ＥＣＭキー情報はしばしば数ミリ秒ごとに提供し、ＥＣＭキーは、３０秒ごとなど数秒ごとに変更されるため、ＥＣＭ情報をデータコンテンツではなく時間により分割することが可能である。これは、図８ｂに示されており、ここでは、トランスポンダ１はプログラム情報１を搬送し、トランスポンダ２はプログラム情報２を搬送し、．．．、トランスポンダｎはプログラム情報ｎを搬送する。図８ｂの構成では、図８ａの構成と対照的に、ＥＣＭ情報は各種トランスポンダチャネル間でスイッチされる。より詳細には、図８ｂにおいて、トランスポンダチャネル１は、シーケンシャルパケットＶ１，Ｖ１，Ａ１，Ｅ１，Ｖ１，Ｖ１，Ａ１，Ｅ２，Ｖ１，Ｖ１，Ａ１，Ｅｎ，．．．を搬送し、トランスポンダチャネル２は、シーケンシャルパケットＶ２，Ｖ２，Ａ２，Ｅ２，Ｖ２，Ｖ２，Ａ２，Ｅｎ，Ｖ２，Ｖ２，Ａ２，Ｅ１，．．．を搬送し、トランスポンダｎは、シーケンシャルパケットＶｎ，Ｖｎ，Ａｎ，Ｅｎ，Ｖｎ，Ｖｎ，Ａｎ，Ｅ１，Ｖｎ，Ｖｎ，Ａｎ，Ｅ２，．．．を搬送する。従って、図８ｂの構成では、プログラムデータを復号又は解読するのに必要とされる完全なＥＣＭメッセージは、部分Ｅ１，Ｅ２，．．．，Ｅｎ，．．．などの時間シーケンシャル部分に分割され、完全なＥＣＭメッセージの上記時間シーケンシャル部分は、各種チャネル間でスイッチされる。
【００２７】
マルチチャネル受信機は、従来のチューニングされた受信機のアレイであってもよく、又は、上述のエイリアスキャンセリングマルチチャネル受信機であってもよい。
【００２８】
当業者は、システムの各機能が、本発明の本質に対する変更なく、隣接するブロックに含まれるブロックの一部の機能により示されてもよいということを知っている。例えば、キーの分解が、「キー生成装置及びデコンポーザ」ブロック２３２’によって実行されるものとして図７ｂに示されたが、当該キーは生成され、すべての暗号化ブロック２１６ａ，２１６ｂ，．．．，２１６Ｎに配布され、暗号化ブロックにおいて解読が実行可能である。さらに、これらの例は、特定の順序により構成されたキーの物理チャネルを介した送信を示したが、このキーの順序は、特定のルールに従うものである必要はない。キーを部分に分割し、当該部分を異なるトランスポンダに送信することが説明されたが、１つのトランスポンダを介し完全な形式によりプログラムのＥＣＭ情報を送信することが可能である。
【００２９】
本発明の一特徴による方法は、複数のチャネル（３０１，３０２，．．．，３００Ｎ）を介しデータを通信するためものである。本方法は、暗号化されたデータを生成するため、通信されるデータ（Ａ／Ｖ情報）と暗号化情報（Ｋ１ａ，Ｋ２ａ，Ｋ３ａ，．．．，ＫＮａ）を選択するステップと、当該データを暗号化情報により暗号化するステップとを有する。選択されたデータは、映像情報であってもよい。暗号化情報は、各部分（ＥＣＭａ，ＥＣＭｂ，．．．，ＥＣＭＮ）に分割される。暗合されたデータは、複数のチャネル（３０１，３０２，．．．，３００Ｎ）の少なくとも１つのチャネル（トランスポンダチャネルＩ）を介し通信される。本方法の１つのモードでは、暗号化されたデータは、１つのチャネル（トランスポンダチャネル１）を介し通信される。暗号化キー情報の部分の少なくとも一部は、暗号化されたデータが通信されるチャネル以外の複数のチャネル（３０１，３０２，．．．，３００Ｎ）の少なくとも１つを介し通信される。
【００３０】
本発明の他の特徴によると、プログラム情報を加入者（４２６）に提供する方法は、許可符号化情報ストリームを生成するため、加入者に通信される複数の情報ストリーム（Ａ／Ｖ情報）を選択するステップと、情報ストリームの少なくとも一部のそれぞれを個別許可制御情報により符号化するステップとを有する。個別許可制御情報の各要素は、複数の部分に分割される。符号化された情報ストリームは、符号化された情報ストリームのそれぞれが、複数の独立したチャネル（３０１，３０２，．．．，３００Ｎ）の１つを介し、又は少なくともすべての物理チャネルより少数のチャネルを介し通信されることによって、加入者に通信される。許可制御情報の複数の部分が、各許可制御情報の各部分の少なくとも一部が独立したチャネル（３０１，３０２，．．．，３００Ｎ）のそれぞれを介し通信されることによって、加入者に通信される。異なる加入者が異なるプログラム許可を有するとき、本方法は、対応する加入者が許可される特定のプログラムの情報ストリームを特定する個別許可管理コマンドを生成するさらなるステップを有する。個別許可管理コマンドのそれぞれは、複数の部分に分割される。許可管理コマンドは、個別許可管理コマンドのそれぞれの部分の少なくとも一部が、独立したチャネル（３０１，３０２，．．．，３００Ｎ）のそれぞれを介し通信されることによって、独立したチャネル（３０１，３０２，．．．，３００Ｎ）の少なくとも一部を介し加入者に通信される。各加入者位置では、復号化された情報を生成するため、情報は独立したチャネルの少なくともいくつかにおいて同時に復号化される。復号化された情報から、加入者に適用可能な個別許可管理コマンドの少なくとも当該部分が再構成され、これにより、再構成された許可管理コマンドが構成される。本発明の方法の上記特徴のさらなるモードによると、情報ストリーム、許可符号化情報ストリーム及び再構成された許可管理コマンドに対応する許可制御情報のみが利用可能にされる。
【００３１】
本発明の他の特徴による方法は、各加入者が複数の異なるプログラム許可の１つを有する場合、プログラム情報を加入者に提供するためのものである。本方法は、許可符号化情報ストリームを生成するため、加入者に通信される複数の情報ストリームを選択するステップと、個別許可制御情報により情報ストリームの少なくとも一部のそれぞれを符号化するステップとを有する。本発明による上記特徴によると、本方法は、個別許可制御情報の各要素を複数の部分に分割する。情報ストリームは、情報ストリームのそれぞれが複数の独立したチャネル（３０１，３０２，．．．３００Ｎ）の１つを介し通信されることによって、加入者に通信される。許可制御情報の複数の部分が、各個別許可制御情報の部分の少なくとも一部が、独立したチャネル（３０１，３０２，．．．，３００Ｎ）のそれぞれを介し通信されることによって、加入者に通信される。対応する加入者が許可される特定のプログラムの情報ストリームを特定する個別許可管理コマンドが生成される。各個別許可管理コマンドは、複数の部分に分割される。各個別許可管理コマンドは、複数の部分に分割される。許可管理コマンドは、個別許可管理コマンドのそれぞれの部分の少なくとも一部が、独立したチャネルのそれぞれを介し通信されることによって、独立したチャネル（３０１，３０２，．．．，３００Ｎ）の少なくとも一部を介し加入者に通信される。各加入者位置において、独立したチャネルの少なくともいくつかにおける情報が、復号化された情報を構成するように同時に復号化され、復号化された情報から、加入者に適用可能な個別許可管理コマンドの少なくとも当該部分が、再構成される許可管理コマンドを構成するため再構成される。各加入者位置において、情報ストリーム、許可符号化情報ストリーム及び再構成された許可管理コマンドに対応する許可制御情報が、表示用に利用可能にされる。
【図面の簡単な説明】
【００３２】
【図１】図１は、従来の衛星ベース加入者映像配信システムの簡単化されたブロック図である。
【図２ａ】図２ａは、図１のシステムのヘッドエンド又は地上ステーションにある複数の処理ユニットの簡単化されたブロック図である。
【図２ｂ】図２ｂは、図２ａの処理ユニットの１つの詳細を示す。
【図２ｃ】図２ｃは、各種キーが図２ｂの暗号化装置によって、データストリームのダミーＥＭＭ／ＥＣＭデータの位置に挿入される方法を表す。
【図３】図３は、図１の衛星のトランスポンダ構成の簡単化されたブロック図である。
【図４】図４は、図１、２ａ、２ｂ及び３のシステムの最終的なユーザが利用可能にされる装置の簡単化されたブロック図である。
【図５】図５は、本発明の一特徴による図１のシステムのヘッドエンド又は地上ステーションにある複数の処理ユニットの簡単化されたブロック図である。
【図６】図６は、与えられたトランスポンダチャネルによりキー情報が送信される方法の表示である。
【図７】図７ａ及び７ｂは、それぞれ従来技術及び本発明の一特徴によるキー配布の一般的な趣旨を示す。
【図８】図８ａ及び８ｂは、システムの情報ストリームの簡単化された図である。
【図１】
2007528668.tif 000002
【図２ａ】
2007528668.tif 000003
【図２ｂ】
2007528668.tif 000004
【図２ｃ】
2007528668.tif 000005
【図３】
2007528668.tif 000006
【図４】
2007528668.tif 000007
【図５】
2007528668.tif 000008
【図６】
2007528668.tif 000009
【図７】
2007528668.tif 000010
【図８】
2007528668.tif 000011
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
プログラム信号を通信する方法であって、
暗号化されたプログラム信号を生成するため、前記プログラム信号を暗号化情報を用いて暗号化するステップと、
前記暗号化情報を複数の暗号化情報部分に分割するステップと、
前記暗号化されたプログラム信号を第１通信チャネルを介し通信するステップと、
前記複数の暗号化情報部分を前記第１通信チャネルから独立した第２通信チャネルを介し通信するステップと、
を有することを特徴とする方法。
【請求項２】
請求項１記載の方法であって、
前記複数の暗号化情報部分を通信するステップは、前記複数の暗号化情報部分を前記第１通信チャネルから独立した複数の通信チャネルを介し通信することを特徴とする方法。
【請求項３】
請求項２記載の方法であって、
前記複数の暗号化情報部分のそれぞれは、前記第１通信チャネルから独立した前記複数の通信チャネルの各自の一意的な１つを介し送信されることを特徴とする方法。
【請求項４】
請求項２記載の方法であって、
前記プログラム信号は、テレビプログラムを表し、
前記暗号化情報は、ＥＣＭ（Ｅｎｔｉｔｌｅｍｅｎｔ  Ｃｏｎｔｒｏｌ  Ｍｅｓｓａｇｅ）に対応する、
ことを特徴とする方法。
【請求項５】
請求項４記載の方法であって、
前記複数の通信チャネルは、衛星データパスから構成されることを特徴とする方法。
【請求項６】
請求項３記載の方法であって、
前記プログラム信号は、テレビプログラムを表し、
前記暗号化情報は、ＥＣＭ（Ｅｎｔｉｔｌｅｍｅｎｔ  Ｃｏｎｔｒｏｌ  Ｍｅｓｓａｇｅ）に対応する、
ことを特徴とする方法。
【請求項７】
プログラム信号を受信及び処理する方法であって、
暗号化されたプログラム信号を第１通信チャネルを介し受信することを含む複数の通信チャネルを介しデータを同時に受信し、前記第１通信チャネルから独立した第２通信チャネルを介し複数の暗号化情報部分を受信するステップと、
暗号化情報を復元するため、前記複数の暗号化情報部分を構成するステップと、
前記プログラム信号を生成するため、前記暗号化されたプログラム信号を前記復元された暗号化情報を用いて解読するステップと、
を有することを特徴とする方法。
【請求項８】
請求項７記載の方法であって、
前記複数の暗号化情報部分を受信するステップは、前記複数の暗号化情報部分を前記第１通信チャネルから独立した複数の通信チャネルを介し受信することを特徴とする方法。
【請求項９】
請求項８記載の方法であって、
前記複数の暗号化情報部分のそれぞれは、前記複数の通信チャネルの各自の一意的な通信チャネルを介し受信されることを特徴とする方法。
【請求項１０】
請求項８記載の方法であって、
前記プログラム信号は、テレビプログラム信号に対応し、
前記暗号化情報は、ＥＣＭ（Ｅｎｔｉｔｌｅｍｅｎｔ  Ｃｏｎｔｒｏｌ  Ｍｅｓｓａｇｅ）から構成される、
ことを特徴とする方法。
【請求項１１】
請求項９記載の方法であって、
前記プログラム信号は、テレビプログラム信号に対応し、
前記暗号化情報は、ＥＣＭ（Ｅｎｔｉｔｌｅｍｅｎｔ  Ｃｏｎｔｒｏｌ  Ｍｅｓｓａｇｅ）から構成される、
ことを特徴とする方法。
【請求項１２】
衛星パスを介しテレビプログラム信号を受信する方法であって、
第１チャネルに関するプログラムを選択するユーザコマンドを受信するステップと、
前記第１チャネルを介し前記選択されたプログラムに関する暗号化されたプログラム信号を受信することを含み、複数のチャネルを介しデータを受信するため前記複数のチャネルに同時にチューニングし、複数の暗号化情報部分を前記第１チャネルから独立した第２チャネルを介し受信するステップと、
暗号化情報を復元するため、前記複数の暗号化情報部分を構成するステップと、
プログラム信号を生成するため、前記暗号化されたプログラム信号を前記復元された暗号化情報を用いて解読するステップと、
表示信号を生成するため、前記プログラム信号を処理するステップと、
を有することを特徴とする方法。
【請求項１３】
請求項１２記載の方法であって、
前記複数の暗号化情報部分を受信するステップは、前記複数の暗号化情報部分を前記第１チャネルから独立した複数のチャネルを介し受信することを特徴とする方法。
【請求項１４】
請求項１２記載の方法であって、
前記複数の暗号化情報部分のそれぞれは、前記複数のチャネルの各自の一意的なチャネルを介し受信されることを特徴とする方法。
【請求項１５】
複数の通信チャネルからデータを同時に受信する手段と、
前記受信手段に接続され、前記受信手段によって受信されるチャネルを選択する制御手段と、
前記受信手段に接続され、前記複数の通信チャネルを介し受信されたデータを処理する処理手段と、
第１通信チャネルに関するプログラムの選択を含むユーザコマンドを受信するユーザ入力手段と、
を有する装置であって、
前記制御手段は、ユーザコマンドに応答して、前記受信手段に前記選択されたプログラムに関するプログラム信号を前記第１通信チャネルを介し受信させ、複数の暗号化情報部分を前記第１通信チャネルから独立した第２通信チャネルを介し受信させ、
前記処理手段は、暗号化情報を生成するため、前記暗号化情報部分を構成し、前記プログラム信号を前記構成された暗号化情報を用いて解読する、
ことを特徴とする装置。
【請求項１６】
請求項１５記載の装置であって、
前記受信手段は、前記複数の暗号化情報部分を前記第１通信チャネルから独立した複数の通信チャネルを介し受信することを特徴とする装置。
【請求項１７】
請求項１５記載の装置であって、
前記受信手段は、前記複数の暗号化情報部分のそれぞれを前記第１通信チャネルから独立した各自の一意的な通信チャネルを介し受信することを特徴とする装置。
【請求項１８】
請求項１７記載の装置であって、
前記プログラムは、テレビプログラムから区政され、
前記暗号化情報は、ＥＣＭ（Ｅｎｔｉｔｌｅｍｅｎｔ  Ｃｏｎｔｒｏｌ  Ｍｅｓｓａｇｅ）から構成される、
ことを特徴とする装置。
【請求項１９】
請求項１８記載の装置であって、
前記通信チャネルは、衛星送信チャネルに対応することを特徴とする装置。
【手続補正２】
【補正対象書類名】明細書
【補正対象項目名】００２８
【補正方法】変更
【補正の内容】
【００２８】
当業者は、システムの各機能が、本発明の本質に対する変更なく、隣接するブロックに含まれるブロックの一部の機能により示されてもよいということを知っている。例えば、キーの分解が、「キー生成装置及びデコンポーザ」ブロック２３２’によって実行されるものとして図７ｂに示されたが、当該キーは生成され、すべての暗号化ブロック２１６ａ，２１６ｂ，．．．，２１６Ｎに配布され、暗号化ブロックにおいて解読が実行可能である。さらに、これらの例は、特定の順序により構成されたキーの物理チャネルを介した送信を示したが、このキーの順序は、特定のルールに従うものである必要はない。キーを部分に分割し、当該部分を異なるトランスポンダに送信することが説明されたが、符号化されたデータが送信される以外のトランスポンダを介し完全な形式によりプログラムのＥＣＭ情報を送信することが可能である。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
プログラム信号を通信する方法であって、
暗号化されたプログラム信号を生成するため、前記プログラム信号を暗号化情報を用いて暗号化するステップと、
前記暗号化情報を複数の暗号化情報部分に分割するステップと、
前記暗号化されたプログラム信号を第１通信チャネルを介し通信するステップと、
前記複数の暗号化情報部分を前記第１通信チャネルから独立した第２通信チャネルを介し通信するステップと、
を有することを特徴とする方法。
【請求項２】
請求項１記載の方法であって、
前記複数の暗号化情報部分を通信するステップは、前記複数の暗号化情報部分を前記第１通信チャネルから独立した複数の通信チャネルを介し通信することを特徴とする方法。
【請求項３】
請求項２記載の方法であって、
前記複数の暗号化情報部分のそれぞれは、前記第１通信チャネルから独立した前記複数の通信チャネルの各自の一意的な１つを介し送信されることを特徴とする方法。
【請求項４】
プログラム信号を受信及び処理する方法であって、
暗号化されたプログラム信号を第１通信チャネルを介し受信することを含む複数の通信チャネルを介しデータを同時に受信し、前記第１通信チャネルから独立した第２通信チャネルを介し複数の暗号化情報部分を受信するステップと、
暗号化情報を復元するため、前記複数の暗号化情報部分を構成するステップと、
前記プログラム信号を生成するため、前記暗号化されたプログラム信号を前記復元された暗号化情報を用いて解読するステップと、
を有することを特徴とする方法。
【請求項５】
請求項４記載の方法であって、
前記複数の暗号化情報部分を受信するステップは、前記複数の暗号化情報部分を前記第１通信チャネルから独立した複数の通信チャネルを介し受信することを特徴とする方法。
【請求項６】
請求項５記載の方法であって、
前記複数の暗号化情報部分のそれぞれは、前記複数の通信チャネルの各自の一意的な通信チャネルを介し受信されることを特徴とする方法。
【請求項７】
複数の通信チャネルからデータを同時に受信する手段と、
前記受信手段に接続され、前記受信手段によって受信されるチャネルを選択する制御手段と、
前記受信手段に接続され、前記複数の通信チャネルを介し受信されたデータを処理する処理手段と、
第１通信チャネルに関するプログラムの選択を含むユーザコマンドを受信するユーザ入力手段と、
を有する装置であって、
前記制御手段は、ユーザコマンドに応答して、前記受信手段に前記選択されたプログラムに関するプログラム信号を前記第１通信チャネルを介し受信させ、複数の暗号化情報部分を前記第１通信チャネルから独立した第２通信チャネルを介し受信させ、
前記処理手段は、暗号化情報を生成するため、前記暗号化情報部分を構成し、前記プログラム信号を前記構成された暗号化情報を用いて解読する、
ことを特徴とする装置。
【請求項８】
請求項７記載の装置であって、
前記受信手段は、前記複数の暗号化情報部分を前記第１通信チャネルから独立した複数の通信チャネルを介し受信することを特徴とする装置。
【請求項９】
請求項７記載の装置であって、
前記受信手段は、前記複数の暗号化情報部分のそれぞれを前記第１通信チャネルから独立した各自の一意的な通信チャネルを介し受信することを特徴とする装置。
【国際調査報告】
2007528668.tif 000012